(57)【要約】【課題】  縦溝を有する鋼製構造柱に被固定材を固定する固定構造であって、簡単に被固定材を鋼製構造柱に見栄えよく固定することができ、造作材を簡単に設置することが可能な固定構造を提供する。【解決手段】固定構造１は、鉛直方向に長い縦溝２を有するあらわしの鋼製構造柱３に被固定材４を固定する固定構造１であって、前記縦溝２は、溝入口の幅Ｗ１が溝内部の幅Ｗ２よりも短く形成されるとともに、前記溝内部に弾性材料８が挿入されており、前記被固定材４は平板状に形成されておりその側端縁が前記縦溝２に挿入された状態で前記弾性材料８を圧縮している。【選択図】図４
2018199997.tif 000002
【特許請求の範囲】
【請求項１】
鉛直方向に長い縦溝を有するあらわしの鋼製構造柱に被固定材を固定する固定構造であって、
前記縦溝は、溝入口の幅が溝内部の幅よりも短く形成されており、
前記被固定材は前記縦溝内に保持される溝固定部であり、当該縦溝の前記溝入口の幅よりも細く形成されているとともに、当該溝固定部の両側から突出及び退入可能なストッパが設けられており、
前記溝固定部は前記縦溝内に挿入された状態で前記ストッパが前記溝固定部の両側から突出していることを特徴とする固定構造。
【請求項２】
前記溝固定部は溝形鋼であり、前記ストッパは水平と鉛直とに回転可能な棒材であることを特徴とする請求項１に記載の固定構造。
【請求項３】
前記溝固定部に、造作材を固定する造作材受具が固定されることを特徴とする請求項２に記載の固定構造。
【請求項４】
前記鋼製構造柱の外周廻りに、等間隔で４本の前記縦溝が形成されていることを特徴とする請求項１から請求項３のいずれかに記載の固定構造。
【請求項５】
前記鋼製構造柱は断面視したときに外周が円弧又は楕円弧で形成されていることを特徴とする請求項１から請求項４のいずれかに記載の固定構造。
【請求項６】
鉛直方向に長く形成され、溝入口の幅が溝内部の幅よりも短い縦溝を有する鋼製構造柱に前記溝入口の幅よりも細く、両側から突出及び退入可能なストッパが設けられる被固定材を固定する固定構造の施工方法であって、
上下の建物構造材の間に前記鋼製構造柱を固定し、
前記被固定材を、前記ストッパを退入させた状態で前記縦溝に挿入し、
前記被固定材を前記縦溝内に配置した状態で、前記ストッパを前記被固定部の両側から突出させることを特徴とする固定構造の施工方法。
【発明の詳細な説明】
【技術分野】
【０００１】
本発明は、鉛直方向に長い縦溝を有する鋼製構造柱に被固定材を固定する固定構造に関する。
【背景技術】
【０００２】
従来より、仮設建物の柱材に板材を固定する場合に、柱材に設けられた縦溝に板材の側縁部を挿入して固定しているものが開示されている（例えば、特許文献１参照）。この発明における柱材は断面四角形の鋼材の直交する２面にＣ型の鋼材を縦溝が外を向くように溶接して固定しており、縦溝に板材を固定して外壁を形成することで簡単に見栄えよく柱材に板材を固定できるとするものである。
【０００３】
ところで、一般に住宅等の建物の構造柱はあらわしとすると高い意匠性が要求されるので、鉄骨造の場合にはあまり用いられることがなく、鋼製構造柱は壁内や化粧材で覆って隠されていることが多い。そして、構造柱を露出する場合にも金具が大きく露出することになり意匠性に優れない。
【０００４】
また、例えば部屋間の視線制御のために構造柱ではない木下地による列柱や横格子を設けることが知られているが、鋼製構造柱を視線制御に用いた技術は知られていない。
【先行技術文献】
【特許文献】
【０００５】
【特許文献１】特開２０００−６４５０４号公報
【発明の概要】
【発明が解決しようとする課題】
【０００６】
ところで、上述の特許文献１の柱材は、仮設建物の外壁を構成する柱材であり求められる意匠性は高くない。また、単に板材の側縁部を柱材の縦溝に挿入しているだけなので、十分な固定ができていない。
【０００７】
また、鋼製構造柱を化粧材等で覆う場合には柱が太くなる問題が有り、一方、鋼製構造柱自体を細くした場合や鋼製でない構造柱とすると、構造柱としての強度を保つことが困難となる。また、鋼製構造柱に造作材を固定しようとすると、溶接やボルト止めなど大掛かりな作業が必要となり、意匠性にも優れない。
【０００８】
そこで本発明は、縦溝を有する鋼製構造柱に被固定材を固定する固定構造であって、簡単に被固定材を鋼製構造柱に見栄えよく固定することができ、造作材を簡単に設置することが可能な固定構造を提供することを目的とする。
【課題を解決するための手段】
【０００９】
本発明の固定構造は、鉛直方向に長い縦溝を有するあらわしの鋼製構造柱に被固定材を固定する固定構造であって、前記縦溝は、溝入口の幅が溝内部の幅よりも短く形成されており、前記被固定材は前記縦溝内に保持される溝固定部であり、当該縦溝の前記溝入口の幅よりも細く形成されているとともに、当該溝固定部の両側から突出及び退入可能なストッパが設けられており、前記溝固定部は前記縦溝内に挿入された状態で前記ストッパが前記溝固定部の両側から突出していることを特徴としている。
【００１０】
本発明の固定構造は、前記溝固定部は溝形鋼であり、前記ストッパは水平と鉛直とに回転可能な棒材であることを特徴としている。
【００１１】
本発明の固定構造は、前記溝固定部に、造作材を固定する造作材受具が固定されることを特徴としている。
【００１２】
本発明の固定構造は、前記鋼製構造柱の外周廻りに、等間隔で４本の前記縦溝が形成されていることを特徴としている。
【００１３】
本発明の固定構造は、前記鋼製構造柱は断面視したときに外周が円弧又は楕円弧で形成されていることを特徴としている。
【００１４】
本発明の固定構造の施工方法は、鉛直方向に長く形成され、溝入口の幅が溝内部の幅よりも短い縦溝を有する鋼製構造柱に前記溝入口の幅よりも細く、両側から突出及び退入可能なストッパが設けられる被固定材を固定する固定構造の施工方法であって、上下の建物構造材の間に前記鋼製構造柱を固定し、前記被固定材を、前記ストッパを退入させた状態で前記縦溝に挿入し、前記被固定材を前記縦溝内に配置した状態で、前記ストッパを前記被固定部の両側から突出させることを特徴としている。
【発明の効果】
【００１５】
本発明の固定構造によると、縦溝は、溝入口の幅が溝内部の幅よりも短く形成されており、被固定材である溝固定部は前記溝入口の幅よりも細く形成されているので、溝固定部を縦溝に簡単に挿入することができ、しかも、ストッパが溝固定部の両側から突出しているので、溝固定部を縦溝の溝内部に確実に固定することができる。そして、溝固定部は縦溝の内部に挿入されているので、外部からはほとんど見えず、鋼製構造柱の意匠性を低下させることがない。
【００１６】
本発明の固定構造によると、溝固定部は溝形鋼であり、ストッパは水平と鉛直とに回転可能な棒材であるのでストッパを回転させることで簡単に溝固定部を縦溝の溝内部に固定することができる。
【００１７】
本発明の固定構造によると、溝固定部に造作材受具が固定されるので、例えば棚板、横格子、目隠し用スクリーンなどの造作材を簡単に鋼製構造柱に意匠性を低下させることなく固定することができる。
【００１８】
本発明の固定構造によると、鋼製構造柱の外周廻りに等間隔で４本の縦溝が形成されているので、鋼製構造柱の４方向にそれぞれ溝固定部を固定することができ、必要な間取りに応じて様々な造作材を設置することができる。しかも、４本の縦溝が設けられることにより、１本の鋼製構造柱が４本の細い柱材の集合のように見え意匠性に優れる。
【００１９】
本発明の固定構造によると、鋼製構造柱は断面視したときに外周が円弧又は楕円弧で形成されているので、安全性が高いとともに、意匠性にも優れる。
【００２０】
本発明の固定構造の施工方法によると、被固定材を、ストッパを退入させた状態で縦溝に挿入し、被固定材を縦溝内に配置した状態で、ストッパを被固定部の両側から突出させることで、極めて簡単に意匠性よく被固定材を鋼製構造柱に固定することができる。
【図面の簡単な説明】
【００２１】
【図１】鋼製構造柱の形状を示す水平断面図。
【図２】鋼製構造柱の構成を示す一部拡大斜視図。
【図３】２本の鋼製構造柱を上下の建物構造材の間に固定した状態を示す図。
【図４】第二実施形態の固定構造の鋼製構造柱の縦溝に被固定材を固定する状態を示す図。
【図５】被固定材の外観構成を説明する斜視図。
【図６】被固定材のストッパの動作を説明する斜視図。
【図７】第二実施形態の固定構造で鋼製構造柱の間に棚を固定した状態を示す図。
【図８】第二実施形態の固定構造の変形例として、２本の鋼製構造柱の間に横格子を固定する固定構造を示す図。
【図９】２本の鋼製構造柱の間に横格子及び棚を固定した例を示す図。
【発明を実施するための形態】
【００２２】
以下、本発明の固定構造１及び固定構造の施工方法について図１から図９を参照しつつ説明する。固定構造１は、縦溝２を有するあらわしの鋼製構造柱３に被固定材４を固定する構造である。なお、各図において図示の都合上、鋼製構造柱３は鉛直方向の一部のみを抜き出して記載している。
【００２３】
鋼製構造柱３は、図１及び図２に示すように、縦方向に長い縦溝２を外周廻りに等間隔で４本有する鋼製の柱材である。縦溝２は、外周の９０度毎に配置され、４方向に開口している。なお、鋼製構造柱３の縦溝２は４方向にそれぞれ設けられるものに限られるものではなく、少なくとも鋼製構造柱３に１本以上の縦溝２が設けられていればよい。鋼製構造柱３は、図１に示すように中実で水平断面を見た場合に外周面が４つの楕円弧で形成されており、その間に縦溝２が形成されている。縦溝２は、溝入口の幅Ｗ１が狭まるように溝入口２１の縁が膨らんで形成されており、溝入口の幅Ｗ１が溝内部の幅Ｗ２よりも短く形成されている。なお、溝入口の幅Ｗ１とは縦溝２の最も外部側の位置に限られず、縦溝２の外部側に近い位置であり、溝入口２１の縁の膨らんだ部分の反対側の縁に最も接近する位置をいう。また、溝内部の幅Ｗ２とは縦溝２の溝入口２１よりも奥側で最も幅広の部分をいう。
【００２４】
鋼製構造柱３は、図３に示すように、柱頭及び柱脚にフランジ５が形成された固定部６が設けられており、柱頭及び柱脚が建物の構造材に固定されている。なお、図３においては、鋼製構造柱３の上下に建物構造材７としてＨ形鋼の梁を配置した例を示しているが、建物構造材７はＨ形鋼に限定されるものではなく、例えば鋼製構造柱３を１階に設置する場合には柱脚は建物構造材７としての基礎に固定されていても良い。
【００２５】
鋼製構造柱３はあらわしの柱であるので、表面に意匠性を考慮した質感を出す塗装や加工を行っていても良い。
【００２６】
本実施形態の固定構造１は、あらわしの鋼製構造柱３に被固定材４を固定するものである。本実施形態においては、被固定材４には造作材受具１１としての棚受具１１ａが固定されており、当該棚受具１１ａが棚１７を固定することで、鋼製構造柱３の間に棚１７を設置するものである。
【００２７】
本実施形態における被固定材４は、鋼製でウエブ４１の両側にフランジ４２が設けられている溝固定部４ｂである。溝固定部４ｂは幅が縦溝２の溝入口の幅Ｗ１よりも細く形成されており、溝固定部４ｂを縦溝２内に挿入することができる。溝固定部４ｂは両側にそれぞれ切欠部１２を有している。溝固定部４ｂには図５及び図６に示すように、当該溝固定部４ｂの両側から突出及び退入可能なストッパ２３が設けられている。ストッパ２３は、溝固定部４ｂの切欠部１２から両側に突出する。ストッパ２３は、溝固定部４ｂの内側に設けられており、当該ストッパ２３の長手方向が鉛直から水平に回転可能な棒材である。溝固定部４ｂのウエブ４１の外側にはストッパ２３の回転を操作可能な操作部が形成されている。図４（Ｂ）に示すようにストッパ２３は、溝固定部４ｂの両側から水平方向に突出させたとき、鋼製構造柱３の縦溝２の溝内部の幅Ｗ２よりも長く形成されており、このストッパ２３によって溝固定部４ｂは鋼製構造柱３の縦溝２の溝内部に挿入された状態を維持される。
【００２８】
棚受具１１ａは、図５（Ｂ）及び図６（Ｂ）に示すように、棚板固定部１３と背面板固定部１４とを有している。図７に示すように、棚板固定部１３に水平面材の棚板１５を固定するとともに、背面板固定部１４に鉛直面材の背面板１６を固定することで、鋼製構造柱３に固定された棚１７を形成する。
【００２９】
本実施形態の固定構造の施工方法は、まず、上下の建物構造材７としての梁の間に鋼製構造柱３を固定する。そして、次に、図４（Ａ）（Ｂ）に示すように、鋼製構造柱３の縦溝２に溝固定部４ｂを挿入する。このとき、図５（Ａ）及び図６（Ａ）に示すように、溝固定部４ｂはストッパ２３の長手方向が鉛直を向くように配置すれば、当該ストッパ２３が溝固定部４ｂの側面から突出することがないので、ストッパ２３が鋼製構造柱３の外周面に干渉することなく縦溝２に溝固定部４ｂを挿入することができる。
【００３０】
そして、図５（Ｂ）及び図６（Ｂ）に示すように、ストッパ２３をその長手方向が水平を向くように回転させる。これによって、ストッパ２３は溝固定部４ｂの切欠部１２から溝固定部４ｂの両側から突出することになり、溝固定部４ｂが鋼製構造柱３の縦溝２内から抜けることなく固定される。
【００３１】
そして、次に、棚受具１１ａを溝固定部４ｂのウエブ４１に固定し、図７に示すように、棚受具１１ａの棚板固定部１３に棚板１５を固定するとともに、背面板固定部１４に背面板１６を固定することで棚１７を完成させて、鋼製構造柱３に固定される棚１７を完成させる。なお、図７においては、２本の鋼製構造柱３の間に棚板１５を架設するようにして棚１７を完成させているが、これに限られるものではなく、一本の鋼製構造柱３の縦溝２に固定された溝固定部４ｂに固定される棚受具１１ａが棚板１５及び背面板１６を片持ちで固定するものであってもよい。また、図９に示すように、２本の鋼製構造柱３の間に設けられる棚１７には、中間部に背面板１６に垂直な鉛直に形成される中間仕切板１８が形成されていてもよい。
【００３２】
また、本実施形態においては、固定構造１は、鋼製構造柱３に棚１７が固定されているが、これに限られるものではなく、例えば、鋼製構造柱３に横格子１９や目隠しスクリーンなどの造作材を固定するものであってもよい。例えば、固定構造１は図８に示すように、鋼製構造柱３に溝固定部４ｂを固定し、当該溝固定部４ｂに造作材受具１１としての格子受具１１ｂを介して、水平材２０を固定してもよい。この変形例においては、２本の鋼製構造柱３の互いに対向する縦溝２にそれぞれ溝固定部４ｂを固定し、当該溝固定部４ｂに水平材２０を受ける格子受具１１ｂが固定される。そして、この格子受具１１ｂに水平方向に長尺な水平材２０が固定され、同様の構成を上下に並べて配置することにより、図９に示すように、水平材２０が上下に等間隔で並べられた横格子１９を形成している。なお、図９においては、２本の鋼製構造柱３の間に横格子１９と棚１７とがそれぞれ形成されている。
【００３３】
なお、固定構造１及び固定構造の施工方法はこれに限られるものではなく、鋼製構造柱３の縦溝２に固定された溝固定部４ｂに図示しないスクリーン受具を介して目隠しスクリーンを固定するものであってもよい。
【００３４】
なお、本発明の実施の形態は上述の実施形態に限ることなく、本発明の思想の範囲を逸脱しない範囲で適宜変更することができることは云うまでもない。
【産業上の利用可能性】
【００３５】
本発明に係る固定構造１及び固定構造の施工方法は、例えば住宅の構造柱に造作材を固定する構造として好適に用いることがができる。
【符号の説明】
【００３６】
１      固定構造
２      縦溝
３      鋼製構造柱
４      被固定材
４ｂ    溝固定部
８      弾性材料
１１    造作材受具
【図１】
2018199997.tif 000003
【図２】
2018199997.tif 000004
【図３】
2018199997.tif 000005
【図４】
2018199997.tif 000006
【図５】
2018199997.tif 000007
【図６】
2018199997.tif 000008
【図７】
2018199997.tif 000009
【図８】
2018199997.tif 000010
【図９】
2018199997.tif 000011